(57)【要約】      （修正有）【課題】小洗浄時に便器本体に供給される洗浄水量のばらつき幅を小さくすることができ、安定した小洗浄を行い、節水化を実現することができる水洗大便器装置を提供する。【解決手段】少なくともその一部が貯水タンク２６内で水没した状態で配置されたジェットポンプユニット３２と、貯水タンク２６内を上下方向に延びて区画する壁面に貫くように形成された開口部７２ｂを備え、貯水タンク内全体に貯水される洗浄水よりも少ない洗浄水が貯水される小空間領域Ｒ２を形成する区画壁７２と、区画壁の開口部を開閉し、ジェットポンプユニットを通じて便器本体へ供給する洗浄水量を変更することができる切替弁７６と、を有し、ジェットポンプユニットは、区画壁が形成する小空間領域の外側に配置され、区画壁の上端７２ｆは、貯水タンクに貯水される洗浄水の初期状態における止水水位ＷＬ３よりも高い位置に設定されている。【選択図】図６
2015151757.tif 000002
【特許請求の範囲】
【請求項１】
ジェットポンプ作用により洗浄水を便器本体に供給して洗浄する水洗大便器装置であって、
汚物を受けるボウル部と、このボウル部に洗浄水を導くための導水路とを備えた便器本体と、
この便器本体に供給する洗浄水を貯水する貯水タンクと、
少なくともその一部が上記貯水タンク内で水没した状態で配置されたジェットポンプユニットであって、このジェットポンプユニットは、その一端が上記便器本体の導水路の入口に接続され、その他端には吸引口が形成され、この吸引口が貯水タンク内の下部に位置するように配置されたスロート管と、このスロート管の吸引口に向けて洗浄水を噴射してジェットポンプ作用を誘発させるジェットノズルと、を備えた上記ジェットポンプユニットと、
上記貯水タンク内を上下方向に延びて区画する壁面と、この壁面を貫くように形成された開口部と、を備え、上記貯水タンク内全体に貯水される洗浄水よりも少ない洗浄水が貯水される小空間を形成する区画壁と、
この区画壁の開口部を開閉し、上記ジェットポンプユニットを通じて上記便器本体へ供給する洗浄水量を変更することができる切替弁と、を有し、
上記ジェットポンプユニットは、上記区画壁が形成する小空間の外側に配置され、上記区画壁の上端は、上記貯水タンクに貯水される洗浄水の初期状態における止水水位よりも高い位置に設定されていることを特徴とする水洗大便器装置。
【請求項２】
上記切替弁は、上記開口部を閉止した状態において、上記区画壁内に貯水された洗浄水の水圧により上記開口部に押し付けられるように、その上端が上記止水水位よりも低い位置に設定されている請求項１記載の水洗大便器装置。
【請求項３】
上記切替弁は、上記区画壁の開口部を上記小空間側で開閉可能に上記小空間内に設けられている請求項１又は２に記載の水洗大便器装置。
【請求項４】
上記開口部及び上記切替弁は、上記区画壁において、上記ジェットノズルが配置されている側に偏った状態で配置されている請求項１乃至３の何れか１項に記載の水洗大便器装置。
【請求項５】
上記切替弁は、上記開口部を上記小空間側で開閉する弁部と、この弁部から上記小空間内の斜め下方に延びて上記弁部を支持する支持部と、を備え、上記開口部よりも内側の上記小空間内の下方領域には、上記切替弁の支持部が回動可能に取り付けられる取付部が設けられ、上記切替弁の支持部が上記取付部の所定の回動軸線を中心に回動することにより、上記弁部が上記開口部を開閉するように構成されている請求項１乃至４の何れか１項に記載の水洗大便器装置。
【請求項６】
上記区画壁が形成する小空間の底面には、上記切替弁の支持部が上記取付部の所定の回動軸線を中心に回動可能となるように、上記支持部の下端部を揺動可能に受け入れる凹部が形成されている請求項５記載の水洗大便器装置。
【請求項７】
上記貯水タンクは、平面視において左右方向に長い扁平形状に形成されている請求項１乃至６の何れか１項に記載の水洗大便器装置。
【発明の詳細な説明】
【技術分野】
【０００１】
本発明は、水洗大便器装置に係り、特に、ジェットポンプ作用により洗浄水を便器本体に供給して洗浄する水洗大便器装置に関する。
【背景技術】
【０００２】
従来から、例えば、特許文献１に記載されているように、勢いの強い水を便器のボウル面に継続的に供給することができるジェットポンプ機構が設けられた水洗大便器装置が知られている。
この便器は貯水タンク内に大・小洗浄を切り替えるための区画容器がジェットノズルを取り囲むように設けられている。この区画容器には開口が形成され、この開口には、切替弁が開閉可能に設けられており、使用者の便器洗浄操作により切替弁が区画容器の外側方向に開閉することによって、大洗浄と小洗浄の切り替えを行うことができるようになっている。
また、特許文献２に記載されているように、便器給水とタンク給水をジェットノズルで行うものも知られている。
【先行技術文献】
【特許文献】
【０００３】
【特許文献１】特開２００４−１５６３８２号公報
【特許文献２】特開２０１２−５２８９６０号公報
【発明の概要】
【発明が解決しようとする課題】
【０００４】
しかしながら、上述した特許文献１に記載されている従来の水洗大便器装置においては、貯水タンク内の止水水位が区画容器の上方に位置するように設定されているため、貯水タンクに貯められる洗浄水の量が変わると、大小洗浄共に使用する水量が変動してしまい、大きな無駄水が発生してしまうという問題がある。
特に、貯水タンクの形状が上下方向の高さ寸法よりも左右方向に長い扁平形状である場合には、給水圧等の影響を受けて、止水水位の高さが少しでも変わると、大きな水量の無駄水が発生することになり、節水化を妨げる顕著な問題となる。
また、特許文献２についても、タンク給水と便器給水とをジェットノズルから行い、勢いの強い水の給水が行われるため、給水圧等の影響を受けてタンク給水の吐水態様が変わりやすく、貯水タンクに貯められる洗浄水の量や止水水位がばらつきやすいという問題がある。
さらに、貯水タンクの止水水位がばらつくと、大小洗浄共に使用する水量もばらつくが、特に、小洗浄の場合には、大洗浄に比べて使用頻度が多いため、節水化を実現するためには、便器本体に供給される洗浄水量のばらつき幅をいかに小さくするかが要請された課題となっている。
【０００５】
そこで、本発明は、従来技術の要請された課題を解決するためになされたものであり、小洗浄時に便器本体に供給される洗浄水量のばらつき幅を小さくすることができ、安定した小洗浄を行い、節水化を実現することができる水洗大便器装置を提供することを目的としている。
【課題を解決するための手段】
【０００６】
上記の目的を達成するために、本発明は、ジェットポンプ作用により洗浄水を便器本体に供給して洗浄する水洗大便器装置であって、汚物を受けるボウル部と、このボウル部に洗浄水を導くための導水路とを備えた便器本体と、この便器本体に供給する洗浄水を貯水する貯水タンクと、少なくともその一部が上記貯水タンク内で水没した状態で配置されたジェットポンプユニットであって、このジェットポンプユニットは、その一端が上記便器本体の導水路の入口に接続され、その他端には吸引口が形成され、この吸引口が貯水タンク内の下部に位置するように配置されたスロート管と、このスロート管の吸引口に向けて洗浄水を噴射してジェットポンプ作用を誘発させるジェットノズルと、を備えた上記ジェットポンプユニットと、上記貯水タンク内を上下方向に延びて区画する壁面と、この壁面を貫くように形成された開口部と、を備え、上記貯水タンク内全体に貯水される洗浄水よりも少ない洗浄水が貯水される小空間を形成する区画壁と、この区画壁の開口部を開閉し、上記ジェットポンプユニットを通じて上記便器本体へ供給する洗浄水量を変更することができる切替弁と、を有し、上記ジェットポンプユニットは、上記区画壁が形成する小空間の外側に配置され、上記区画壁の上端は、上記貯水タンクに貯水される洗浄水の初期状態における止水水位よりも高い位置に設定されていることを特徴としている。
このように構成された本発明においては、区画壁が形成する小空間の外側にジェットポンプユニットが配置されていると共に、区画壁の上端が貯水タンクに貯水される洗浄水の初期状態における止水水位よりも高い位置に設定されているため、貯水給水時の貯水タンク内の水位のばらつきにより、貯水タンク内に貯水される洗浄水の初期状態における止水水位がばらついた場合であっても、小洗浄時に便器本体に供給される洗浄水量のばらつき幅を小さくすることができる。したがって、安定した小洗浄を行うことができる。また、使用頻度の高い小洗浄を安定化させることができるため、節水化を実現することができる。
【０００７】
本発明において、好ましくは、上記切替弁は、上記開口部を閉止した状態において、上記区画壁内に貯水された洗浄水の水圧により上記開口部に押し付けられるように、その上端が上記止水水位よりも低い位置に設定されている。
このように構成された本発明においては、切替弁が開口部を閉止した状態において、区画壁内に貯水された洗浄水の水圧により開口部に押し付けられるように、切替弁の上端が貯水タンクに貯水される洗浄水の初期状態における止水水位よりも低い位置に設定されているため、小洗浄時に区画壁内の洗浄水が流出することを確実に防ぐことができる。したがって、小洗浄時に便器本体に供給される洗浄水量のばらつき幅を小さくすることができ、安定した小洗浄を行うことができる。また、使用頻度の高い小洗浄を安定化させることができるため、節水化を実現することができる。
【０００８】
本発明において、好ましくは、上記切替弁は、上記区画壁の開口部を上記小空間側で開閉可能に上記小空間内に設けられている。
このように構成された本発明においては、切替弁が区画壁の開口部を小空間側で開閉可能に小空間内に設けられているため、小洗浄時に区画壁内に貯水されている洗浄水の水圧により切替弁を開口部に確実に押し付けることができる。したがって、小洗浄時に区画壁内の洗浄水が流出することを防ぐことができるため、小洗浄時に便器本体に供給される洗浄水量のばらつき幅を小さくすることができ、安定した小洗浄を行うことができる。また、使用頻度の高い小洗浄を安定化させることができるため、節水化を実現することができる。
【０００９】
本発明は、好ましくは、上記開口部及び上記切替弁は、上記区画壁において、上記ジェットノズルが配置されている側に偏った状態で配置されている。
このように構成された本発明においては、開口部及び切替弁が、区画壁において、ジェットノズルが配置されている側に偏った状態で配置されているため、小洗浄の開始当初では、ジェットノズルから噴射される水の勢いによって、切替弁について開口部を閉鎖する方向に引き寄せることができ、その後、小洗浄時に区画壁内に貯水されている洗浄水の水圧により切替弁を開口部に確実に押し付けることができる。したがって、小洗浄時に区画壁内の洗浄水が流出することを防ぐことができるため、小洗浄時に便器本体に供給される洗浄水量のばらつき幅を小さくすることができ、安定した小洗浄を行うことができる。また、使用頻度の高い小洗浄を安定化させることができるため、節水化を実現することができる。
【００１０】
本発明は、好ましくは、上記切替弁は、上記開口部を上記小空間側で開閉する弁部と、この弁部から上記小空間内の斜め下方に延びて上記弁部を支持する支持部と、を備え、上記開口部よりも内側の上記小空間内の下方領域には、上記切替弁の支持部が回動可能に取り付けられる取付部が設けられ、上記切替弁の支持部が上記取付部の所定の回動軸線を中心に回動することにより、上記弁部が上記開口部を開閉するように構成されている。
このように構成された本発明においては、区画壁が形成する小空間内の下方領域の取付部に取り付けられる切替弁の支持部が、弁部から小空間内の斜め下方に延びており、開口部よりも内側の小空間内の下方領域に設けられた取付部に回動可能に取り付けられているため、開口部の位置を小空間の下方に位置させることができる。したがって、大洗浄時に、切替弁が開口部を開放して区画壁内の水をより確実に排出することができる。また、区画壁が形成する小空間自体を小さくすることができるため、貯水タンク全体を小型化することができる。
【００１１】
本発明は、好ましくは、上記区画壁が形成する小空間の底面には、上記切替弁の支持部が上記取付部の所定の回動軸線を中心に回動可能となるように、上記支持部の下端部を揺動可能に受け入れる凹部が形成されている。
このように構成された本発明においては、区画壁が形成する小空間の底面に切替弁の支持部の下端部を揺動可能に受け入れる凹部が形成されていることにより、切替弁の支持部の回動領域を小空間内の下方に設定することができるため、開口部の位置を小空間の下方に位置させることができる。したがって、大洗浄時に、切替弁が開口部を開放して区画壁内の水をより確実に排出することができる。また、区画壁が形成する小空間を小さくすることができるため、貯水タンク全体を小型化することができる。
【００１２】
本発明は、好ましくは、上記貯水タンクは、平面視において左右方向に長い扁平形状に形成されている。
このように構成された本発明においては、貯水給水時の貯水タンク内の水位がばらつき、貯水タンク内に貯水される洗浄水の初期状態における止水水位がばらついた場合であっても、貯水タンクが平面視において左右方向に長い扁平形状に形成されているため、この扁平形状の貯水タンク内全体で水位方向のばらつき幅を小さくすることができる。したがって、小洗浄時に便器本体に供給される洗浄水量のばらつき幅についても小さくすることができ、安定した小洗浄を行うことができる。また、使用頻度の高い小洗浄を安定化させることができるため、節水化を実現することができる。
【発明の効果】
【００１３】
本発明の水洗大便器装置によれば、小洗浄時に便器本体に供給される洗浄水量のばらつき幅を小さくすることができ、安定した小洗浄を行い、節水化を実現することができる。
【図面の簡単な説明】
【００１４】
【図１】本発明の一実施形態による水洗大便器装置を示す平面図である。
【図２】図１のＩＩ−ＩＩ線に沿って見た断面図である。
【図３】本発明の一実施形態による水洗大便器装置の洗浄水タンク装置の内部構造を示す平面図である。
【図４】本発明の一実施形態による水洗大便器装置の洗浄水タンク装置の内部構造を示す正面図である。
【図５】図４のＶ−Ｖ線に沿って見た断面図であり、本発明の一実施形態による水洗大便器装置の洗浄水タンク装置の洗浄開始前の止水時に大小洗浄切替機構の切替弁が開放している状態を示す。
【図６】図５と同様な断面図であり、本発明の一実施形態による水洗大便器装置の洗浄水タンク装置の小洗浄時に大小洗浄切替機構の切替弁が閉鎖している状態を示す。
【図７】本発明の一実施形態による水洗大便器装置の洗浄水タンク装置を示す概念図である。
【図８】本発明の一実施形態による水洗大便器装置の洗浄水タンク装置の貯水タンク内に設けられて区画壁によって形成された小タンクについて斜め後方から見た斜視図である。
【図９】本発明の一実施形態による水洗大便器装置の洗浄水タンク装置の貯水タンク内に設けられて区画壁によって形成された小タンクを示す平面図である。
【図１０】本発明の一実施形態による水洗大便器装置の切替弁を示す斜視図である。
【図１１】本発明の一実施形態による水洗大便器装置の小タンク内における切替弁の支持部及びこの支持部が取り付けられる取付部を拡大した拡大斜視図である。
【図１２Ａ】本発明の一実施形態による水洗大便器装置による大洗浄時の動作を説明するための洗浄水タンク装置の内部構造の概念図である。
【図１２Ｂ】本発明の一実施形態による水洗大便器装置による大洗浄時の動作を説明するための洗浄水タンク装置の内部構造の概念図である。
【図１２Ｃ】本発明の一実施形態による水洗大便器装置による大洗浄時の動作を説明するための洗浄水タンク装置の内部構造の概念図である。
【図１２Ｄ】本発明の一実施形態による水洗大便器装置による大洗浄時の動作を説明するための洗浄水タンク装置の内部構造の概念図である。
【図１２Ｅ】本発明の一実施形態による水洗大便器装置による大洗浄時の動作を説明するための洗浄水タンク装置の内部構造の概念図である。
【図１２Ｆ】本発明の一実施形態による水洗大便器装置による大洗浄時の動作を説明するための洗浄水タンク装置の内部構造の概念図である。
【図１３Ａ】本発明の一実施形態による水洗大便器装置による小洗浄時の動作を説明するための洗浄水タンク装置の内部構造の概念図である。
【図１３Ｂ】本発明の一実施形態による水洗大便器装置による小洗浄時の動作を説明するための洗浄水タンク装置の内部構造の概念図である。
【図１３Ｃ】本発明の一実施形態による水洗大便器装置による小洗浄時の動作を説明するための洗浄水タンク装置の内部構造の概念図である。
【図１３Ｄ】本発明の一実施形態による水洗大便器装置による小洗浄時の動作を説明するための洗浄水タンク装置の内部構造の概念図である。
【図１３Ｅ】本発明の一実施形態による水洗大便器装置による小洗浄時の動作を説明するための洗浄水タンク装置の内部構造の概念図である。
【図１３Ｆ】本発明の一実施形態による水洗大便器装置による小洗浄時の動作を説明するための洗浄水タンク装置の内部構造の概念図である。
【発明を実施するための形態】
【００１５】
以下、添付図面を参照して本発明の一実施形態による水洗大便器装置を説明する。
まず、図１及び図２により、本発明の一実施形態による水洗大便器装置の基本構造を説明する。
図１は、本発明の実施形態による水洗大便器装置を示す平面図であり、図２は、図１のＩＩ−ＩＩ線に沿って見た断面図である。
【００１６】
図１及び図２に示すように、本発明の一実施形態による水洗大便器装置１は、便器本体２と、この便器本体２に洗浄水を供給する洗浄水タンク装置４を備えている。
便器本体２は、その前方側に設けられたボウル部６と、ボウル部６の上縁に形成されたリム部８と、このリム部８の内周に形成された棚部１０と、を備えている。
また、便器本体２のボウル部６の底部には、トラップ排水路１２の入口１２ａが開口し、このトラップ排水路１２は、上方に延びる上昇管１２ｂと、下方に延びる下降管１２ｃを備えている。このトラップ排水路１２の形状から分かるように、本実施形態による水洗大便器装置１は、高さ方向の落差により汚物を排出する洗い落とし式便器である。
なお、本実施形態においては、洗い落とし式便器に適用した形態について説明するが、このような形態に限定されず、サイホン作用を利用してボウル部内の汚物を吸い込んで排水トラップ管路から一気に外部に排出する、いわゆる、サイホン式便器の形態等、他の水洗大便器の形態についても適用可能である。
【００１７】
つぎに、便器本体２は、洗浄水タンク装置４の排水口１４から排出される洗浄水が流入する導水路１６と、棚部１０の前方から見て左側中央に形成された第１リム吐水口１８と、前方から見て右側後方に形成された第２リム吐水口２０とを備えている。
また、導水路１６は、下流に向かって第１通水路２２と第２通水路２４に分岐し、導水路１６の洗浄水が第１通水路２２を経て第１リム吐水口１０に到達する一方、第２通水路２４を経て第２リム吐水口２０に到達し、洗浄水が、それぞれ、第１リム吐水口１８及び第２リム吐水口２０から吐水され、ボウル部６を洗浄し、汚物をトラップ排水路１２から排出するようになっている。
【００１８】
つぎに、図３〜図７により、洗浄水タンク装置４について詳細に説明する。
図３は、本発明の一実施形態による水洗大便器装置の洗浄水タンク装置の内部構造を示す平面図であり、図４は、本発明の一実施形態による水洗大便器装置の洗浄水タンク装置の内部構造を示す正面図である。
また、図５は、図４のＶ−Ｖ線に沿って見た断面図であり、本発明の一実施形態による水洗大便器装置の洗浄水タンク装置の洗浄開始前の止水時に大小洗浄切替機構の切替弁が開放している状態を示す。一方、図６は、図５と同様な断面図であり、本発明の一実施形態による水洗大便器装置の洗浄水タンク装置の小洗浄時に大小洗浄切替機構の切替弁が閉鎖している状態を示す。
さらに、図７は、本発明の一実施形態による水洗大便器装置の洗浄水タンク装置を示す概念図である。
なお、図７において、便宜上、図３及び図４に示す洗浄水タンク装置の内部構造の一部を省略すると共に、各構造のいくつかの配置についても、図３及び図４に示されたものと異なる配置に描かれている。
【００１９】
図３〜図７に示すように、洗浄水タンク装置４は、平面視において左右方向に長い扁平形状に形成されて洗浄水を貯水する貯水タンク２６と、この貯水タンク２６に洗浄水を供給する給水管路２８と、この給水管路２８に設けられた給水弁装置３０と、この給水管路２８の下流端に設けられ便器本体２に洗浄水を供給するためのジェットポンプユニット３２と、使用者が手動操作により洗浄水の給水を行うための手動レバー３４を備えている。
給水管路２８の上流端には、外部の水道管等の給水源（図示せず）から供給される洗浄水を止水するための止水栓３６が設けられている。この止水栓３６は、水洗大便器装置１の据付時などに給水源（図示せず）からの給水を止水するためのものであり、通常使用時は開状態に保持されている。
【００２０】
ジェットポンプユニット３２は、下方から斜め上方に延びる上昇管部３８ａとこの上昇管部３８ａの上端付近から下方に延びる下降管部３８ｂとを備えた概ね逆Ｖ字形状に形成されたスロート管３８と、ジェットノズル４０とを備えている。
具体的には、上昇管部３８ａの上流端には吸引口３８ｃが形成され、この吸引口３８ｃが貯水タンク２６内の下部に位置するようになっており、スロート管３８の下降管部３８ｂの下流端が便器本体２の導水路１６に連通する排水口１４に接続されている。
また、スロート管３８の吸引口３８ｃに対向するように、ジェットノズル４０が配置され、スロート管３８の吸引口３８ｃとジェットノズル４０は、常時、貯水タンク２６内で水没した状態となっている。
【００２１】
ジェットポンプユニット３２は、ジェットノズル４０からスロート管３８の吸引口３８ｃに向けて高速の洗浄水を噴射し、このとき、ジェットノズル４０に近いスロート管３８内の吸引口３８ｃ近傍の空間が負圧となり、この負圧によりジェットポンプ作用（エジェクタ効果）を誘発させることにより、貯水タンク２６内の近傍の洗浄水を吸引し、この洗浄水とジェットノズル４０から噴出される洗浄水とが一緒になり、スロート管３８内を流れ、排水口１４を経て、便器本体２の導水路１６に供給されるようになっている。
すなわち、本明細書中に記載されている「ジェットポンプ作用」という用語については、ジェットノズルからスロート管の吸引口に向けて噴射される勢いのある洗浄水の流れ自体が、ポンプ等の他の機械要素に依存することなく、直接的にスロート管の吸引口の近傍等の周囲の洗浄水を引き込むような負圧を形成し、この負圧を利用してスロート管内に吸い込んだ貯水タンク内の洗浄水を便器本体側へ圧送する作用を意味している。
【００２２】
給水管路２８には、上述した給水弁装置３０以外に、給水弁装置３０の上流側に定流量弁４２が、下流側に真空破壊弁４４が設けられている。この定流量弁４２は、給水弁装置３０に供給される洗浄水を定流量とするためのものであり、真空破壊弁４４は、外部から空気を吸入して真空破壊弁４４からジェットノズル４０までの接続管路４６内が負圧にならないようにするためのものである。
【００２３】
給水弁装置３０は、パイロット式ダイアフラム弁である主弁体４８と、この主弁体が着座する主弁座５０と、内部の圧力により主弁体４８を主弁座５０に対して移動させる圧力室５２とを備え、主弁体２８が、主弁座５０に着座して止水する止水状態と主弁座５０から離間して給水する給水状態とを切り換えるようになっている。
圧力室５２には、この圧力室５２の圧力を開放する第一穴５４及び第二穴５６と、上述した手動レバー３４における使用者の手動操作と連動して第一穴５４を開閉する第一パイロット弁５８と、貯水タンク２６内の洗浄水の水位に伴い上下動するフロート６０の上下動により第二穴５６を開閉する第二パイロット弁６２が設けられている。
【００２４】
また、主弁体４８には、ブリード穴（図示せず）が設けられており、止水状態のとき、ブリード穴（図示せず）により給水管路２８の一次側流路Ａと圧力室５２の内部とが連通するようになっている。ここで、第一穴５４は、その開口面積が第二穴５６の開口面積よりも大きく形成されている。また、第一穴５４は、第二穴５６よりも、図７に示すように、上方位置に形成されている。
【００２５】
第一パイロット弁５８は、駆動軸６４により手動レバー３４に接続され、使用者の手動レバー３４の手動操作により、第一穴５４を開閉するようになっている。ここで、手動レバー３４は、図４において、手前側（一方向）に回動操作させた場合には後述する大洗浄がなされ、奥側（他方向）に回動操作させた場合には小洗浄がなされるようになっている。
【００２６】
この給水弁装置３０は、通常は止水状態であり、止水状態では、第一穴５４及び第二穴５６は共に塞がれており、且つ、給水管路２８の一次側流路Ａは圧力室５２とブリード穴（図示せず）を通じて連通しているため、一次側流路Ａと圧力室５２の水圧は同じ水圧（一次側流路圧力α）、また二次側流路Ｂは大気開放となり、主弁体４８に水圧が作用する面積の方が一次側流路Ａの面積よりも大であるので、主弁体４８は主弁座５０に押付けられ閉じられている。
【００２７】
給水弁装置３０において、第一穴５４及び/又は第二穴５６が、第一パイロット弁５８及び/又は第二パイロット弁６２により開放されると、圧力室５２から洗浄水が流出し、圧力室５２内の圧力が低下し、主弁体４８が主弁座５０から離れるように移動し、開弁し、吐水状態となるようになっている。
【００２８】
給水弁装置３０において、第一穴５４及び第二穴５６が第一パイロット弁５８及び第二パイロット弁６２により閉じられると、再度圧力室５２の圧力が一次側流路圧力αとなり、主弁体４８が主弁座５０に向けて移動し、最終的に閉弁された状態（止水状態）となる。
なお、このとき、一次側流路Ａの洗浄水が、圧力室５２内へブリード穴から少しずつ注入されるため、第一穴５４及び第二穴５６を塞いでから、所定時間遅れて、主弁体４８が閉弁状態（止水状態）となるようになっている。
【００２９】
つぎに、図７に示すように、スロート管３８の下端近傍には、ジェット吐水とタンク貯水とを切り替えるための切替弁６６と、この切替弁６６に取り付けられたフロート６８が設けられている。このフロート６８は、貯水タンク２６内の水位により上下動するため、水位が低くなったときは、フロート６８も下降し、それにより、切替弁６６がスロート管３８内の流路を塞ぐようになっている（後述する図１２（Ｃ）及び図１３（Ｃ）参照）。
また、スロート管３８内の流路が塞がれた状態では、ジェットノズル４０から噴射された洗浄水は、切替弁６６に衝突し、スロート管３８内を流れることなく、貯水タンク２６内に流れ、貯水タンク２６内に貯水されるようになっている。さらに、所定水位に達して貯水が完了すると、フロート６８も上昇し、それにより、切替弁６６がスロート管３８内の流路を開放するようになっている（図１２（Ａ）及び図１３（Ａ）参照）。
一方、スロート管３８内の流路を開放された状態では、ジェットノズル４０から噴射された洗浄水は、スロート管３８内を流れ、便器本体２に供給されるようになっている。
【００３０】
さらに、貯水タンク２６内には、大洗浄及び小洗浄に必要な洗浄水量を切り換えるための大小洗浄切替機構７０が設けられている。この大小洗浄切替機構７０は、貯水タンク２６内をジェットノズル４０及びスロート管３８の吸引口３８ｃを取り囲む外側空間領域Ｒ１とこの外側空間領域Ｒ１よりも空間が小さい小空間領域Ｒ２との二つの空間領域Ｒ１，Ｒ２に区画する区画壁７２を備えている。
より具体的に説明すると、この区画壁７２は、上下方向に延びる壁面を形成し、その上方が開放されて前後方向及び左右方向の四方から取り囲んだカップ形状の小タンク７４を形成している。この小タンク７４は、貯水タンク２６内の前方且つ左寄りに配置されており、小タンク７４の内部には、小空間領域Ｒ２が平面視において貯水タンク２６の左右方向に長い扁平形状となるように形成されている。
したがって、ジェットノズル４０及びスロート管３８の吸引口３８ｃは、貯水タンク２６を正面側から見て小タンク７４及び小空間領域Ｒ２の外部右側に形成される外側空間領域Ｒ１内の前方且つ右寄りに配置されている（図３〜図５参照）。
なお、本実施形態では、小タンク７が貯水タンク２６内の前方且つ左寄りに配置されると共に、ジェットノズル４０及びスロート管３８の吸引口３８ｃが、貯水タンク２６を正面側から見て小タンク７４及び小空間領域Ｒ２の外部右側に形成される外側空間領域Ｒ１内の前方且つ右寄りに配置されている形態について説明するが、このような形態に限られず、ジェットノズル４０及びスロート管３８の吸引口３８ｃが小タンク７４及び小空間領域Ｒ２に対して左右何れか一方に形成される外側空間領域Ｒ１内に配置されていればよい。
【００３１】
なお、本実施形態においては、四方が区画壁７２によってカップ形状に形成された小タンク７４を貯水タンク２６内に配置することにより、貯水タンク２６内に小空間領域Ｒ２を形成するような形態について説明するが、このような形態に限られず、区画壁７２を貯水タンク２６内の一部に一体的に形成することにより、貯水タンク２６内に小空間領域Ｒ２を形成するようにしてもよい。
また、本実施形態においては、図５及び図６に示すように、小タンク７４の外側底面７４ａと貯水タンク２６の内側底面２６ａとが互いに接触している形態について説明するが、このような形態に限られず、小タンク７４の外側底面７４ａが貯水タンク２６の内側底面２６ａに対して上方に間隔を置いて位置するような形態であってもよい。
【００３２】
また、詳細は後述するが、小タンク７４の後方側の区画壁（後側区画壁）７２ａには、前後方向に貫くようにほぼ左右方向に長い長方形形状の開口部７２ｂが形成されている。この開口部７２ｂには、切替弁７６が開閉可能に設けられており、この切替弁７６が開口部７２ｂを開閉することにより、ジェットポンプユニット３２を通じて便器本体２へ供給する洗浄水量を変更することができ、大洗浄と小洗浄とを切り替えることができるようになっている。
【００３３】
大小洗浄切替機構７０の切替弁７６は、鎖７８により駆動軸６４に接続されており、大洗浄を行うために、使用者により手動レバー３４が一方向に回動操作された場合には、駆動軸６４が回転しても、鎖７８はたるむだけで、切替弁７６は開いた状態のままとなり、大小洗浄切替機構７０が大洗浄状態となるようになっている。
一方、小洗浄を行うために、使用者により手動レバー３４が他方向に回動操作された場合には、鎖７８により切替弁７６が引き上げられ、切替弁７６が開口部７４を閉じた状態となり、大小洗浄切替機構７０が小洗浄状態となるようになっている。
【００３４】
つぎに、貯水タンク２６内には、ジェットポンプユニット３２のスロート管３８の下降管部３８ｂに隣接してオーバーフロー管８０が上下方向に延びるように設けられている。貯水タンク２６内の水位が止水水位よりも上昇してオーバーフロー管８０の上端開口部（補給水口）８０ａの位置を上回った洗浄水は、オーバーフロー管８０内に流入し、排水口１４と連通しているオーバーフロー管８０の下端の流出口８０ｂから便器本体２の導水路１６に補給水として供給されるようになっている。
【００３５】
なお、図５〜図７に示すように、貯水タンク２６内の水位ＷＬは、以下の位置となる。
まず、水位ＷＬ１は、図５及び図７に示すように、大洗浄が終了したときの貯水タンク２６内の領域Ｒ１，Ｒ２の双方の最低水位である死水水位ＤＷＬを示している。また、この水位ＷＬ１は、図６及び図７に示すように、小洗浄が終了したときの貯水タンク２６内の領域Ｒ１のみの死水水位ＤＷＬにもなっており、これらの死水水位ＤＷＬである水位ＷＬ１は、区画壁７２の開口部７４の上端よりも下方に位置している。
つぎに、図６及び図７に示すように、水位ＷＬ２は、小洗浄が終了したときの貯水タンク２６内の領域Ｒ２の水位を示している。
また、図５〜図７に示すように、水位ＷＬ３は、貯水タンク２６内に貯水される洗浄水の初期状態における止水水位であり、水洗大便器装置１の使用前又は使用後の通常の止水水位を示しており、水位ＷＬ２よりもわずかに上方に位置している。
さらに、図５及び図７に示すように、水位ＷＬ４は、大洗浄又は小洗浄後に給水弁装置３０により貯水タンク２６内に洗浄水が給水されその後給水が停止した直後（且つ洗浄水補給前）の止水状態を示す水位である。
【００３６】
つぎに、図３〜図１１を参照して、小タンク７４及び切替弁７６について詳細に説明する。
図８は、本発明の一実施形態による水洗大便器装置の洗浄水タンク装置の貯水タンク内に設けられて区画壁によって形成された小タンクについて斜め後方から見た斜視図であり、図９は、本発明の一実施形態による水洗大便器装置の洗浄水タンク装置の貯水タンク内に設けられて区画壁によって形成された小タンクを示す平面図である。
また、図１０は、本発明の一実施形態による水洗大便器装置の切替弁を示す斜視図であり、図１１は、本発明の一実施形態による水洗大便器装置の小タンク内における切替弁の支持部及びこの支持部が取り付けられる取付部を拡大した拡大斜視図である。
【００３７】
まず、図８及び図９に示すように、小タンク７４の区画壁７２は、小空間領域Ｒ２が平面視において貯水タンク２６の左右方向に長い扁平形状に形成されるように左右方向に長い後側区画壁７２ａ及び前側区画壁７２ｃと、これら後側区画壁７２ａ及び前側区画壁７２ｃに比べて貯水タンク２６の前後方向に短くなるように形成され且つ小タンク７４の前方から見て左右方向に位置する左側区画壁部７２ｄ及び右側区画壁部７２ｅを備えている。
【００３８】
また、区画壁７２の上端７２ｆは、貯水タンク２６内に貯水される洗浄水の初期状態における止水水位ＷＬ３よりも高い位置に設定されている（図４〜図７参照）。これにより、貯水給水時の貯水タンク２６内の水位のばらつきにより、貯水タンク２６内に貯水される洗浄水の初期状態における止水水位ＷＬ３がばらついた場合であっても、小洗浄時に便器本体２に供給される洗浄水量のばらつき幅を小さくすることができるようになっている。
【００３９】
つぎに、小タンク７４の左右方向に長い後側区画壁７２ａには、左右方向に長い扁平な形状でほぼ長方形の開口断面形状の開口部７２ｂが前後方向に貫くように形成されている。すなわち、この開口部７２ｂは、小タンク７４内の小空間領域Ｒ２から貯水タンク２６内外側空間領域Ｒ１に向かって後方に差し向けられているため、貯水タンク２６内の外側空間領域Ｒ１の前方且つ右寄りに配置されているジェットノズル４０及びスロート管３８の吸引口３８ｃの位置の方向とは異なる方向に差し向けられている（図３〜図５及び図８参照）。これにより、ジェットノズル４０がスロート管３８の吸引口３８ｃに向けて洗浄水を勢いよく噴射してジェットポンプ作用を誘発させているときであっても、小タンク７４の区画壁７２の開口部７２ｂを通過する洗浄水や区画壁７２が形成する小空間領域Ｒ２内の洗浄水の乱れを抑制することができるようになっている。
なお、本実施形態では、小タンク７４の後方側区画壁７2ａに形成される開口部７２ｂが差し向けられる方向については、前後方向に限られず、ジェットノズル４０及びスロート管３８の吸引口３８ｃの位置に応じて、これらの位置の方向と異なる方向に差し向けられていればよい。
【００４０】
さらに、小タンク７４の開口部７２ｂは、後側区画壁７２ａを前方から見て、後側区画壁７２ａの下方中央部よりも右側寄りに配置され、ジェットノズル４０及びスロート管３８の吸引口３８ｃが配置されている側に偏った状態で配置されている。これにより、小洗浄の開始当初では、ジェットノズル４０から噴射される水の勢いによって、切替弁７６について開口部７２ｂを閉鎖する方向に引き寄せることができ、その後、小洗浄時に小タンク７４の区画壁７２内に貯水されている洗浄水の水圧により切替弁７６を開口部７２ｂに確実に押し付けることができるようになっている。また、大洗浄時には、切替弁７６が小タンク７４の開口部７２ｂを開放して小タンク７４の区画壁７２内の水を確実に排出することができ、安定して大洗浄水を便器本体２に供給することができるようになっている。さらに、小タンク７４を小型化することができるため、貯水タンク２６全体も小型化することができるようになっている。
【００４１】
つぎに、切替弁７６は、小タンク７４の小空間領域Ｒ２内に設けられ、この小空間領域Ｒ２内で開口部７２ｂの開閉動作可能となっている。
切替弁７６の構造についてより具体的に説明すると、切替弁７６は、小タンク７４の開口部７２ｂを小空間領域Ｒ２内で開閉し且つ閉弁時に開口部７２ｂを閉鎖可能に左右方向に長い扁平形状で形成されている弁部７６ａと、この弁部７６ａの前面の両側の下端付近から小空間領域Ｒ２内に向かって斜め下方に延びて弁部７６ａを支持する一対の支持部７６ｂ，７６ｃとを備えている（図１０及び図１１参照）。
また、小タンク７４の開口部７２ｂよりも内側の小空間領域Ｒ２内の下方領域に形成される小タンク７４の内側底面７４ｂには、切替弁７６の支持部７６ｂ，７６ｃのそれぞれが回動可能に取り付けられる取付部７４ｃ，７４ｄが上方に突出する突起状にそれぞれ形成されている。これら一対の取付部７４ｃ，７４ｄは、互いに左右方向に対向して配置されており、互いに左右方向に対向するように内向きに円柱状に突出する支軸７４ｅ，７４ｆをそれぞれ備えている。さらに、各支軸７４ｅ，７４ｆには、切替弁７６の各支持部７６ｂ，７６ｃの下端付近にそれぞれ形成される取付穴７６ｄ，７６ｅのそれぞれが挿入されて取り付けられ、切替弁７６の各支持部７６ｂ，７６ｃが、各取付部７４ｃ，７４ｄの各支軸７４ｅ，７４ｆの互いに一致する中心軸線に相当する回動軸線Ｃ１を中心に回動することにより、弁部７６ａが開口部７２ｂを小空間領域Ｒ２側で開閉するようになっている（図５、図６及び図９〜図１１参照）。
【００４２】
なお、本実施形態では、小タンク７４の内側底面７４ｂの取付部７４ｃ，７４ｄと切替弁７６の各支持部７６ｂ，７６ｃとの互いの取り付けについては、小タンク７４の内側底面７４ｂの各取付部７４ｃ，７４ｄの支軸７４ｅ，７４ｆを雄側部材とし、これらの支軸７４ｅ，７４ｆを挿入する取付穴７６ｄ，７６ｅを形成する切替弁７６の各支持部７６ｂ，７６ｃを雌側部材とするような形態について説明するが、雄側と雌側とを互いに入れ換えた形態であってもよい。すなわち、切替弁７６の各支持部７６ｂ，７６ｃに支軸を設けることにより雄側部材とし、これらの支軸に挿入される取付穴を小タンク７４の内側底面７４ｂの各取付部７４ｃ，７４ｄに形成することにより雌側部材としてもよい。
【００４３】
さらに、小タンク７４の内側底面７４ｂには、切替弁７６の各支持部７６ｂ，７６ｃが各取付部７４ｃ，７４ｄの各支軸７４ｅ，７４ｆの回動軸線Ｃ１を中心に回動可能となるように、各支持部７６ｂ，７６ｃの下端部を揺動可能に受け入れる凹部７４ｇ，７４ｈがそれぞれ形成されている（図９及び図１１参照）。これにより、切替弁７６の支持部７６ｂ，７６ｃの回動領域を小タンク７４の小空間領域Ｒ２内の下方に設定することができるため、開口部７２ｂの位置を小空間領域Ｒ２の下方に位置させることができるようになっている。したがって、大洗浄時に、切替弁７６が開口部７２ｂを開放して小タンク７４の区画壁７２内の水をより確実に排出することができるようになっている。また、小タンク７４の区画壁７２が形成する小空間領域Ｒ２自体も小さくすることができるため、貯水タンク２６全体を小型化することができるようになっている。
【００４４】
また、切替弁７６は、その弁部７６ａが開口部７２ｂを閉止した状態で小タンク７４の小空間領域Ｒ２内に貯水された洗浄水の水圧により開口部７２ｂに押し付けられるように、弁部７６ａの上端７６ｆが止水水位ＷＬ３よりも低い位置に設定されている。これにより、小洗浄時に小タンク７４の区画壁７２内の洗浄水が開口部７２ｂから流出することを確実に防ぐことができると共に、小洗浄時に便器本体２に供給される洗浄水量のばらつき幅を小さくすることができ、安定した小洗浄を行うことができるようになっている。
【００４５】
図１２Ａ〜図１２Ｆにより、本実施形態による水洗大便器装置１による大洗浄時の動作を説明する。
まず、図１２Ａは、大洗浄開始前の洗浄水タンク装置４を示している。この状態において、貯水タンク２６内の水位は通常状態の水位ＷＬ３であり、給水弁装置３０において、第一穴５４及び第二穴５６は何れも閉じられており、主弁体４８は主弁座５０上に着座し、止水状態となっている。
【００４６】
つぎに、図１２Ｂは、使用者が手動レバー３４を一方向に手動操作し、大洗浄が開始されたときの洗浄水タンク装置４を示している。使用者が手動レバー３４を一方向に手動操作すると手動レバー３４に接続された駆動軸６４が回転し、給水弁装置３０の第１パイロット弁５８が作動して、第一穴５４が開く。このとき、第二穴５６は閉じられたままの状態である。駆動軸６４が回転しても、鎖７８はたるむだけで、切替弁７６は小タンク７４の開口部７２ｂを開いた状態のままであり、大小洗浄切替機構７０が大洗浄状態となる。
【００４７】
第一穴５４が開くと、上述したように、給水弁装置３０の主弁体４８が主弁座５０から離間して給水する給水状態となる。外部の給水源から供給される洗浄水は、止水栓３６、定流量弁４２、給水弁装置３０を経て、給水管路２８の下流端のジェットノズル４０に到達し、ジェットノズル４０からスロート管３８の吸引口３８ｃに向けて洗浄水が噴射される。スロート管３８の吸引口３８ｃ付近は負圧となるので、貯水タンク２６内に貯水された洗浄水もスロート管３８内に吸引され、洗浄水タンク装置４により外部から供給される洗浄水と貯水タンク２６内の洗浄水が一緒になってスロート管３８内を流れ、便器本体１に供給され、ボウル部６の洗浄が開始される。
【００４８】
図１２Ｂの状態により大洗浄が継続されると、つぎに、図１２Ｃに示す状態となる。図１２Ｃは、大洗浄の途中の状態を示している。大洗浄が継続されると、貯水タンク２６内の水位ＷＬが低下する。これにより、給水弁装置３０のフロート６０も下降する。フロート６０の下降が開始されると直ぐに第二パイロット弁６２が作動し、これにより、第二穴５６が開く。このとき、第一穴５４は閉鎖状態であるが、第二穴５６は、後述する図１２Ｅの状態まで、開状態が保持される。
【００４９】
第二穴５６が開くと、第一穴５４の開閉状態に関係なく、給水弁装置３０における給水状態が継続することになる。このため、使用者による手動レバー３４の操作時間が短い場合には、第一穴５４が開いた状態が短時間となり、給水状態が継続せず、大洗浄が行われない、という問題を解決することができる。このように、本実施形態においては、第一穴５４の他に第二穴５６を設け、貯水タンク２６内の水位に連動して動くフロート６０により第２パイロット弁６４を作動させて、第二穴５６を開いて、大洗浄が継続できるようにしたので、手動レバー３４の操作時間とは無関係に確実に大洗浄を実行することができる。
【００５０】
第二穴５６が開くと、給水弁装置３０における給水状態が継続し、貯水タンク２６内の水位ＷＬが、大小洗浄切替機構７０の区画壁７２の開口部７４の下端の水位ＷＬ１まで低下する。このとき、フロート６８も水位の低下に連動して水位ＷＬ１の位置まで下降し、これにより、切替弁６６が動作して、スロート管３８の流路を塞ぐ。これにより、大洗浄における洗浄水の便器本体２への給水が終了する。
【００５１】
スロート管３８の流路が切替弁６６に塞がれると、図１２Ｄに示すように、ジェットノズル４０から噴射される洗浄水は、切替弁６６に衝突し、スロート管３８内を流れることなく、貯水タンク２６内に流れ、貯水タンク２６内に貯水される。このとき、貯水タンク２６内の水位は上昇するが、切替弁６６が洗浄水の勢いにより移動できないので、フロート６８も上昇することなく、その位置に保持される。また、給水弁装置３０のフロート６０は、水位の上昇に連動して上昇するが、第二穴５６は開状態のままであり、それにより給水弁装置３０による給水状態が継続されることになる。
【００５２】
つぎに、給水状態が継続され、貯水タンク２６の水位が上昇し水位ＷＬ３に達すると、図１２Ｅに示すように、フロート６０も水位ＷＬ３まで上昇し、これにより、給水弁装置３０において、第二パイロット弁６２が作動し、第二穴５６が閉じられる。
【００５３】
つぎに、給水弁装置３０において、第一穴５４及び第二穴５６が閉じられると、上述したように、圧力室５２の圧力が一次側流路圧力αとなり、主弁体４８が主弁座５０に向けて移動し、最終的に閉弁された状態（止水状態）となる。しかしながら、このとき、一次側流路Ａの洗浄水が、圧力室５２内へブリード穴（図示せず）から少しずつ注入されるため、第一穴５４及び第二穴５６を塞いでから、所定時間遅れて、主弁体４８が閉弁状態（止水状態）となる。このため、第二穴５６が閉じられた後も、図１２Ｆに示すように、貯水タンク２６内の水位は上昇し、所定時間経過後、水位は水位ＷＬ４となり、この時点で、給水弁装置３０が止水状態となり、給水が終了する。
【００５４】
図１２Ｅに示す状態から図１２Ｆに示す状態の間、貯水タンク２６内の水位は、水位ＷＬ３から水位ＷＬ４まで上昇する。このとき、貯水タンク２６内の水位はオーバーフロー管８０の上端開口部８０ａよりも上の位置にあるので、貯水タンク２６内の洗浄水は、オーバーフロー管８０の上端開口部８０ａからオーバーフロー管８０内に流入し、補給水として、便器本体１に供給される。
なお、図１２Ｅに示す状態から図１２Ｆに示す状態の間、貯水タンク２６内の水位が上昇し続けるのは、給水弁装置３０から貯水タンク２６へ給水される流量が、貯水タンク２６からオーバーフロー管８０内へ流入する流量より多いためである。
【００５５】
さらに、図１２Ｆに示すように、給水弁装置３０により止水状態となり水位がＷＬ４まで上昇した後、水位ＷＬ３と水位ＷＬ４の間にある洗浄水は、オーバーフロー管８０内に流入してオーバーフロー管８０の流出口８０ｂから流出し、排水口１４から、補給水として、便器本体１に供給される。このように、オーバーフロー管８０に流入する補給水の量は、水位がＷＬ３からＷＬ４に上昇中に補給される洗浄水量と止水状態となった後に補給される水位ＷＬ３と水位ＷＬ４の間にある洗浄水量の和である。
【００５６】
便器本体２への洗浄水の補給が完了すると、貯水タンク２６内の水位は、ＷＬ３の位置となり、図１２Ａの状態戻り、大洗浄が終了する。
【００５７】
図１３Ａ〜図１３Ｆにより、本実施形態による水洗大便器装置１による小洗浄時の動作を説明する。小洗浄時の動作は、上述した大洗浄時の動作と異なる部分を中心に説明する。まず、図１３Ａは、小洗浄開始前の洗浄水タンク装置４を示している。この状態において、給水弁装置３０は、止水状態となっている。
【００５８】
つぎに、図１３Ｂは、使用者が手動レバー３４を他方向に手動操作し、小洗浄が開始されたときの洗浄水タンク装置４を示している。使用者が手動レバー３４を他方向に手動操作すると手動レバー３４に接続された駆動軸６４が回転し、給水弁装置３０の第１パイロット弁５８が作動して、第一穴５４が開く。このとき、第二穴５６は閉じられたままの状態である。なお、小洗浄であるので、駆動軸６４が回転することにより、鎖７８が巻き上げられ、区画壁７２内外の差圧によって切替弁７６の弁部７６ａが小タンク７４の開口部７２ｂを閉じた状態となり、大小洗浄切替機構７０は小洗浄状態となる。
【００５９】
第一穴５４が開くと、給水弁装置３０の主弁体４８が主弁座５０から離間して給水する給水状態となる。このとき、貯水タンク２６内に貯水された洗浄水もスロート管３８内に吸引されるので、洗浄水タンク装置４により外部から供給される洗浄水と貯水タンク２６内の洗浄水が一緒になってスロート管３８内を流れ、便器本体１に供給され、ボウル部６の洗浄が開始される。
【００６０】
図１３Ｂの状態により小洗浄が継続されると、つぎに、図１３Ｃに示す状態となる。
図１３Ｃは、小洗浄の途中の状態を示している。小洗浄が継続されると、貯水タンク２６内の外側空間領域Ｒ１内の水位ＷＬが低下する。これにより、給水弁装置３０のフロート６０も下降する。フロート６０の下降が開始されると直ぐに第二パイロット弁６２が作動し、これにより、第二穴５６が開く。このとき、第一穴５４は閉鎖状態であるが、第二穴５６は、後述する図１３Ｅの状態まで、開状態が保持される。
【００６１】
第二穴５６が開くと、第一穴５４の開閉状態に関係なく、給水弁装置３０における給水状態が継続する。このため、手動レバー３４の操作時間とは無関係に確実に小洗浄を実行することができる。
【００６２】
第二穴５６が開くと、給水弁装置３０における給水状態が継続し、貯水タンク２６内の水位ＷＬが、止水水位ＷＬ３から低下する。このとき、切替弁７６の弁部が小タンク７４の開口部７２ｂを閉じた状態が維持されているため、小タンク７４内の水位は、止水水位ＷＬ３よりもわずかに低い水位ＷＬ２が維持される。
また、図１３Ｃに示すように、貯水タンク２６内の外側空間領域Ｒ１内の水位は、ジェットノズル４０付近の水位ＷＬ１（死水水位ＤＷＬ）まで低下し、フロート６８も水位の低下に連動して水位ＷＬ１の位置まで下降し、これにより、切替弁６６が動作して、スロート管３８の流路を塞ぐ。これにより、小洗浄における洗浄水の便器本体２への給水が終了する。
【００６３】
また、スロート管３８の流路が切替弁６６に塞がれると、図１３Ｄに示すように、ジェットノズル４０から噴射される洗浄水は、切替弁６６に衝突し、スロート管３８内を流れることなく、貯水タンク２６内に流れ、貯水タンク２６内に貯水される。このとき、貯水タンク２６内の水位は上昇する。
【００６４】
つぎに、給水状態が継続され、貯水タンク２６の水位が上昇し水位ＷＬ３に達すると、図１３Ｅに示すように、フロート６０も水位ＷＬ３まで上昇し、これにより、給水弁装置３０において、第二パイロット弁６２が作動し、第二穴５６が閉じられる。
【００６５】
つぎに、給水弁装置３０において、第一穴５４及び第二穴５６が閉じられると、止水状態となる。しかしながら、このとき、第一穴５４及び第二穴５６を塞いでから、所定時間遅れて、主弁体４８が閉弁状態（止水状態）となる。このため、第二穴５６が閉じられた後も、図１３Ｆに示すように、貯水タンク２６内の水位は上昇し、所定時間経過後、水位は水位ＷＬ４となり、この時点で、給水弁装置３０が止水状態となり、給水が終了する。
【００６６】
図１３Ｅに示す状態から図１３Ｆに示す状態の間、貯水タンク２６内の水位は、水位ＷＬ３から水位ＷＬ４まで上昇する。このとき、貯水タンク２６内の水位は水位ＷＬ３よりも上の位置にあるので、貯水タンク２６内の洗浄水は、オーバーフロー管８０内に流入し、補給水として、便器本体１に供給される。
【００６７】
さらに、図１３Ｆに示すように、給水弁装置３０により止水状態となり水位がＷＬ４まで上昇した後、水位ＷＬ３と水位ＷＬ４の間にある洗浄水は、オーバーフロー管８０内に流入し、補給水として、便器本体１に供給される。オーバーフロー管８０に流入する補給水の量は、水位がＷＬ３からＷＬ４に上昇中に補給さる洗浄水量と止水状態となった後に補給される水位ＷＬ３と水位ＷＬ４の間にある洗浄水量の和である。
【００６８】
便器本体２への洗浄水の補給が完了すると、貯水タンク２６内の水位は、ＷＬ３の位置となり、図１３Ａの状態戻り、小洗浄が終了する。
【００６９】
上述した本発明の一実施形態による水洗大便器装置１によれば、貯水タンク２６内の外側空間領域Ｒ１が、小タンク７４の区画壁７２が形成する小空間領域Ｒ２の外側に形成され、この貯水タンク２６内の外側空間領域Ｒ１内にジェットポンプユニット３２が配置されていると共に、区画壁７２の上端７２ｆが貯水タンク２６に貯水される洗浄水の初期状態における止水水位ＷＬ３よりも高い位置に設定されているため、貯水給水時の貯水タンク２６内の水位のばらつきにより、貯水タンク２６内に貯水される洗浄水の初期状態における止水水位ＷＬ３がばらついた場合であっても、小洗浄時に便器本体２に供給される洗浄水量のばらつき幅を小さくすることができる。したがって、安定した小洗浄を行うことができる。また、使用頻度の高い小洗浄を安定化させることができるため、節水化を実現することができる。
【００７０】
また、本実施形態による水洗大便器装置１によれば、切替弁７６の弁部７６ａの上端７６ｆが貯水タンク２６に貯水される洗浄水の初期状態における止水水位ＷＬ３よりも低い位置に設定されており、切替弁７６が開口部７２ｂを閉止した状態において、切替弁７６を小タンク７４の区画壁７２内に貯水された洗浄水の水圧により開口部７２ｂに押し付けることができるため、小洗浄時に小タンク７４の区画壁７２内の洗浄水が開口部７２ｂから流出することを確実に防ぐことができる。したがって、小洗浄時に便器本体２に供給される洗浄水量のばらつき幅を小さくすることができ、安定した小洗浄を行うことができる。また、使用頻度の高い小洗浄を安定化させることができるため、節水化を実現することができる。
【００７１】
さらに、本実施形態による水洗大便器装置１によれば、切替弁７６が小タンク７４の区画壁７２の開口部７２ｂを小空間領域Ｒ２側で開閉可能に小タンク７４の小空間領域Ｒ２内に設けられているため、小洗浄時に小タンク７４の区画壁７２内に貯水されている洗浄水の水圧により切替弁７６を開口部７２ｂに確実に押し付けることができる。したがって、小洗浄時に小タンク７４の区画壁７２内の洗浄水が開口部７２ｂから流出することを確実に防ぐことができるため、小洗浄時に便器本体２に供給される洗浄水量のばらつき幅を小さくすることができ、安定した小洗浄を行うことができる。また、使用頻度の高い小洗浄を安定化させることができるため、節水化を実現することができる。
【００７２】
また、本実施形態による水洗大便器装置１によれば、小タンク７４の開口部７２ｂ及び切替弁７６が、後側区画壁７２ａにおいて、ジェットノズル４０が配置されている側に偏った状態で配置されているため、小洗浄の開始当初では、ジェットノズル４０から噴射される水の勢いによって、切替弁７６について開口部７２ｂを閉鎖する方向に引き寄せることができ、その後、小洗浄時に小タンク７４の区画壁７２内に貯水されている洗浄水の水圧により切替弁７６を開口部７２ｂに確実に押し付けることができる。したがって、小洗浄時に小タンク７４の区画壁７２内の洗浄水が開口部７２ｂから流出することを確実に防ぐことができるため、小洗浄時に便器本体２に供給される洗浄水量のばらつき幅を小さくすることができ、安定した小洗浄を行うことができる。また、使用頻度の高い小洗浄を安定化させることができるため、節水化を実現することができる。
【００７３】
さらに、本実施形態による水洗大便器装置１によれば、小タンク７４の区画壁７２が形成する小空間領域Ｒ２内の下方領域の取付部７４ｃ，７４ｄに取り付けられる切替弁７６の支持部７６ｂ，７６ｃが、弁部７６ａから小タンク７４の小空間領域Ｒ２内の斜め下方に延びており、開口部７２ｂよりも内側の小空間領域Ｒ２内の下方領域に設けられた取付部７６ｂ，７６ｃに回動可能に取り付けられているため、開口部７２ｂの位置を小空間領域Ｒ２の下方に位置させることができる。したがって、大洗浄時に、切替弁７６が開口部７２ｂを開放して小タンク７４の区画壁７２内の水をより確実に排出することができる。また、小タンク７４の区画壁７２が形成する小空間領域Ｒ２自体を小さくすることができるため、貯水タンク２６全体を小型化することができる。
【００７４】
また、本実施形態による水洗大便器装置１によれば、小タンク７４の内側底面７４ｂに切替弁７６の支持部７６ｂ，７６ｃの下端部を揺動可能に受け入れる凹部７４ｇ，７４ｈが形成されていることにより、切替弁７６の支持部７６ｂ，７６ｃの回動領域を小タンク７４の小空間領域Ｒ２内の下方に設定することができるため、開口部７２ｂの位置を小空間領域Ｒ２の下方に位置させることができる。したがって、大洗浄時に、切替弁７６が開口部７２ｂを開放して小タンク７４の区画壁７２内の水をより確実に排出することができる。また、小タンク７４の区画壁７２が形成する小空間領域Ｒ２自体も小さくすることができるため、貯水タンク２６全体を小型化することができる。
【００７５】
さらに、本実施形態による水洗大便器装置１によれば、貯水給水時の貯水タンク２６内の水位がばらつき、貯水タンク２６内に貯水される洗浄水の初期状態における止水水位ＷＬ３がばらついた場合であっても、貯水タンク２６が平面視において左右方向に長い扁平形状に形成されているため、この扁平形状の貯水タンク２６内全体で水位方向のばらつき幅を小さくすることができる。したがって、小洗浄時に便器本体２に供給される洗浄水量のばらつき幅についても小さくすることができ、安定した小洗浄を行うことができる。また、使用頻度の高い小洗浄を安定化させることができるため、節水化を実現することができる。
【符号の説明】
【００７６】
１    水洗大便器装置
２    便器本体
４    洗浄水タンク装置
６    ボウル部
８    リム部
１０    棚部
１２    トラップ排水路
１２ａ  トラップ排水路の入口
１２ｂ  トラップ排水路の上昇管
１２ｃ  トラップ排水路の下降管
１４    排水口
１６    導水路
１８    第１リム吐水口
２０    第２リム吐水口
２２    第１通水路
２４    第２通水路
２６    貯水タンク
２６ａ  貯水タンクの内側底面
２８    給水管路
３０    給水弁装置
３２    ジェットポンプユニット
３４    手動レバー
３６    止水栓
３８    スロート管
３８ａ  スロート管の上昇管部
３８ｂ  スロート管の下降管部
３８ｃ  スロート管の吸引口
４０    ジェットノズル
４２    定流量弁
４４    真空破壊弁
４６    接続管路
４８    主弁体
５０    主弁座
５２    圧力室
５４    第一穴
５６    第二穴
５８    第一パイロット弁
６０    フロート
６２    第二パイロット弁
６４    駆動軸
６６    切替弁
６８    フロート
７０    大小洗浄切替機構
７２    区画壁
７２ａ  後側区画壁（第１の区画壁部）
７２ｂ  開口部
７２ｃ  前側区画壁
７２ｄ  左側区画壁（第２の区画壁部）
７２ｅ  右側区画壁（第２の区画壁部）
７２ｆ  区画壁の上端
７４    小タンク
７４ａ  小タンクの外側底面
７４ｂ  小タンクの内側底面
７４ｃ  切替弁の支持部用の取付部
７４ｄ  切替弁の支持部用の取付部
７４ｅ  支軸
７４ｆ  支軸
７４ｇ  凹部
７４ｈ  凹部
７６    切替弁
７６ａ  切替弁の弁部
７６ｂ  切替弁の支持部
７６ｃ  切替弁の支持部
７６ｄ  切替弁の支持部の取付穴
７６ｅ  切替弁の支持部の取付穴
７６ｆ  切替弁の弁部の上端
７８    鎖
８０    オーバーフロー管
８０ａ  オーバーフロー管の上端開口部
８０ｂ  オーバーフロー管の流出口
Ａ    給水管路の一次側流路
Ｂ    給水管路の二次側流路
Ｃ１  回動軸線
Ｒ１  貯水タンク内の外側空間領域
Ｒ２  貯水タンク内の小空間領域
【図１】
2015151757.tif 000003
【図２】
2015151757.tif 000004
【図３】
2015151757.tif 000005
【図４】
2015151757.tif 000006
【図５】
2015151757.tif 000007
【図６】
2015151757.tif 000008
【図７】
2015151757.tif 000009
【図８】
2015151757.tif 000010
【図９】
2015151757.tif 000011
【図１０】
2015151757.tif 000012
【図１１】
2015151757.tif 000013
【図１２Ａ】
2015151757.tif 000014
【図１２Ｂ】
2015151757.tif 000015
【図１２Ｃ】
2015151757.tif 000016
【図１２Ｄ】
2015151757.tif 000017
【図１２Ｅ】
2015151757.tif 000018
【図１２Ｆ】
2015151757.tif 000019
【図１３Ａ】
2015151757.tif 000020
【図１３Ｂ】
2015151757.tif 000021
【図１３Ｃ】
2015151757.tif 000022
【図１３Ｄ】
2015151757.tif 000023
【図１３Ｅ】
2015151757.tif 000024
【図１３Ｆ】
2015151757.tif 000025